(57)【要約】【課題】本発明は、小さな力と軽微な労力かつ楽な姿勢で畝に対する苗の植え込み作業ができる植付体の植え穴形成装置の提供を目的とする。【解決手段】本発明は、苗を床土部に植えた植付体を保温フィルムを敷設した畝に植え付けるための植え穴を形成する植え穴形成装置であって、後端側にハンドル部を備えた支柱部と、該支柱部よりも先端側に位置する柱状の押込部と、該押込部の先端側に形成された先窄まり状の首部と、該首部の先端に延出形成されて前記押し込み部よりも小さい外径を有する先頭部を備えたことを特徴とする。【選択図】図１
2016067220.tif 000002
【特許請求の範囲】
【請求項１】
苗を床土部に植えた植付体を保温フィルムを敷設した畝に植え付けるための植え穴を形成する植え穴形成装置であって、
後端側にハンドル部を備えた支柱部と、該支柱部よりも先端側に位置する柱状の押込部と、該押込部の先端側に形成された先窄まり状の首部と、該首部の先端に延出形成されて前記押し込み部よりも小さい外径を有する先頭部を備えたことを特徴とする植え穴形成装置。
【請求項２】
前記支柱部と前記押込部の間に形成された鍔部を有することを特徴とする請求項１に記載の植え穴形成装置。
【請求項３】
前記鍔部と前記支柱部の間に前記鍔部よりも更に外方に延出形成された足掛け部を有することを特徴とする請求項２に記載の植え穴形成装置。
【請求項４】
前記足掛け部の先端側に、前記支柱部の長さ方向に対し直交する方向に延出された軸部と、該軸部の先端側に、前記押込部の長さ方向と平行に前記押込部側へ延出された指示軸を備えた間隔調整器が着脱自在に装着されたことを特徴とする請求項３に記載の植え穴形成装置。
【請求項５】
前記首部の先端にねじ穴が形成され、前記先頭部の基端側にねじ軸が形成されるとともに、前記ねじ穴に前記ねじ軸を螺合して前記先頭部が前記首部に着脱自在に装着されたことを特徴とする請求項１〜請求項４のいずれか一項に記載の植え穴形成装置。
【発明の詳細な説明】
【技術分野】
【０００１】
本発明は、例えば苗を床土部に植え付けた植付体を畝方向に沿って植えるための植え穴を形成する装置に関する。
【背景技術】
【０００２】
現在、日本の農業現場において農業従事者の高齢化が問題となっている。例えば、アスパラガスの栽培現場において、農業従事者の減少や高齢化の進行により作業性の改善が必要とされている。しかし、アスパラガスは、長期立茎栽培の作型において、若茎の収穫の作業性が調査されているものの、定植時における作業性に関する調査はほとんどなされていない。
アスパラガスの収穫期と作型について言及すると、春どりは、春に地下部の貯蔵養分を使って萌芽してくる若茎を収穫する方法であり、夏秋どりは、春どり打ち切り後に養成茎を伸長させ（立茎させ）、茎葉を繁茂させながら若茎を収穫する方法である。
【０００３】
日本国内の一般的なアスパラガスの露地栽培においては、播種、育苗により栽培した株を５月頃に定植し、１０〜２０年程度同じ株を栽培し、春どりを行って収穫するという露地普通栽培が行われている。アスパラガスの栽培には、株養成を行って、貯蔵根に養分を蓄えることが重要であり、これにより同じ株から長い時期、繰り返し収穫ができる。
【０００４】
また、価格の高い冬季に出荷できる伏せ込み促成栽培と称される方法として、前年の１２月〜当年の１月に種を蒔いて育苗を行い、５月頃に定植し、定植後〜１１月に株養成を行ったあとにその養成株を掘り上げて、１１〜１２月に電熱線により温度をかける温床を暖めて、掘り取った養成株を伏せ込み、冬場の１２月〜翌年２月に収穫し、３月以降に残渣処理を行う方法も知られている。
伏せ込み促成栽培は、単年度栽培ではあるが、冬場の農家の貴重な収入源となるため、前述の春どりや夏秋どり栽培とは別に、増加する傾向にある。また、伏せ込み促成栽培は、アスパラガスに限らず、山菜のタラノメやウドなどの植物にも適用することができる。
【０００５】
伏せ込み促成栽培では、できるだけ株養成期間を長くして株養成量を増加させるため、定植不可能と思われる降霜期への定植を前進化するための試みがなされているが、気温が低い時期に植えると、生育が遅延し、苗が活着できないなどの問題がある。しかし、ビニール（小トンネル）などの資材を用いて地温を向上させて降霜期に定植したのでは、費用がかかって生産コストが上昇するため、費用のかからない方法が望まれる。
【０００６】
更に、伏せ込み促成栽培において、苗としてできるだけ大きな苗を植えたい要望があるため、現状はセル成型苗と称される小型の苗を育苗して鉢上げし、ポット苗と称される少し大きな苗として植えたい要望があるが、大きな苗を植えるにしても、地温が低い時期に植えると、生育が遅延し、苗が活着できないなど問題がある。
【０００７】
従来から、畝に苗を植え付ける装置として、車体の一部に昇降自在に設けた植付機構の下部に開閉自在の開口器を備え、この開口器を閉じた状態で植付機構を下降させて開口器を畝に突き刺してから開くことで、畝に植え穴を形成し、植付機構に保持した苗を先の植え穴に植え付ける装置が知られている（特許文献１参照）。
この植付機構は、下部に先窄まりの嘴状の開口器を備え、開口器の両側に畝の表面を覆うマルチフィルムに切れ目を入れるカッターを備えて構成される。
【０００８】
また、開閉可能で苗を収容して下降し、土壌面に植付穴を形成しながら苗の植え付けを行う植付嘴を備え、その外面に鋸波状のカッターを設けた苗植機の苗植付嘴が知られている（特許文献２参照）。
この苗植付嘴は、マルチフィルムを表面に敷設した畝に植付嘴で植付穴を形成しながら定植を行うためのもので、マルチフィルムの切り過ぎや掻き上げ、切断を防止する目的で使用される。
【先行技術文献】
【特許文献】
【０００９】
【特許文献１】特開２００１−０２８９１１号公報
【特許文献２】特開２００２−１１２６４０号公報
【発明の概要】
【発明が解決しようとする課題】
【００１０】
先の特許文献１、２に記載されている植え付け装置は、エンジンを搭載した車体の後端部側に上下昇降機構を介し、植付嘴を備えた植付装置を備えて構成され、自動化した装置として大がかりであるので、人力により操作可能な小型の器具として、従来、図１１に示す植え穴形成装置が使用されている。
図１１に示す植え穴形成装置１００は、先窄まり状に構成した嘴状の開閉器１０１と、この開閉器１０１の後端側に接続された左右のハンドル１０２、１０３を備えている。開閉器１０１は、先端を先窄まり状として後端側を半割円筒状に構成した２つの嘴部１０５、１０６を重ね合わせて開閉自在に構成されている。
開閉器１０１を下向きとしてその先端側を閉じた状態において、開閉器１０１の上部側には円筒状かつ若干下窄まり状の収容部が構成されているので、この収容部に苗１０７を植えた塊状の床土部１０８を収容することができる。
【００１１】
図１１（ａ）に示すように苗１０７を備えた植え穴形成装置１００を下向きにしてマルチフィルム１１０を敷設した畝の土壌１１１に図１１（ｂ）に示すように嘴部１０５、１０６を突き刺し、図１１（ｃ）に示すようにハンドル１０２、１０３を内側に閉めることで嘴部１０５、１０６の先端側を土壌１１１中で開く。この作業により土壌の一部を掻き分けて嘴部１０５、１０６の間に円筒状の空間部を生成できるので、図１１（ｄ）に示すように苗付きの床土部１０８を土壌１１１中に植え付けることができる。
【００１２】
図１１（ｄ）に示すように土壌１１１の表面部分に植えられた苗１０７はマルチフィルム１１０でその周囲を覆われ、多少保温されているとしても、土壌表面位置に植えられるので、降霜期に定植すると霜による低温の影響は避けられず、苗１０７の生育が遅延し、苗が活着できないなど問題がある。
図１１に示す植え穴形成装置１００を用いて土壌１１１の表面位置に苗１０７を定植するのは、通常、ポット苗でなされているが、セル成型苗を用いる場合も土壌表面位置への定植になり、いずれの場合も降霜期の定植には低温のために適用できない問題がある。
これらの背景から、降霜期への定植を前進化するためには、苗を植える位置の地温をビニール（小トンネル）などの資材を別途用いることなく向上させることが必要と考えられる。
【００１３】
本願発明は、これらの背景に鑑み、今まで行われてこなかった降霜期への定植を前進化するため、地温の向上を図ることができる植え穴を畝に形成できる植え穴形成装置の提供を目的とする。
【課題を解決するための手段】
【００１４】
本発明の植え穴形成装置は、苗を床土部に植えた植付体を保温フィルムを敷設した畝に植え付けるための植え穴を形成する植え穴形成装置であって、後端側にハンドル部を備えた支柱部と、該支柱部よりも先端側に位置する柱状の押込部と、該押込部の先端側に形成された先窄まり状の首部と、該首部の先端に延出形成されて前記押し込み部よりも小さい外径を有する先頭部を備えたことを特徴とする。
前記構成の植え穴形成装置を用い、先頭部を下向きとして畝の表面に向け、先頭部と首部と押込部を畝に押し込むことで、畝の表面に押込部により形取られた上部穴と、首部により形取られた下部穴と、先頭部により形取られた収容穴を備えた形状の植え穴を形成できる。この形状の植え穴ならば、植え穴の底部の収容穴に床土部を収容して苗を植え穴に定植できる。苗は植え穴の底部に配置され、その周囲を畝の土壌で囲まれるため、畝の表面近傍に苗を植えていた従来方法よりも苗の保温性が高くなり、降霜期などのような寒い時期であっても、苗の生育遅延が改善され、苗の活着を促し、腐らせることなく定植が可能となる。
また、植え穴形成装置が形作る植え穴は、柱状の押込部が形成する筒型の上部穴を有するので、畝の表面に露出している開口面積をロート状などの開口が広い穴に比べて小さくでき、寒気の侵入を抑制し、畝の土壌による保温効果を有効にする。このため、降霜期などのような寒い時期における苗の定植を推進できる。
【００１５】
本発明において、前記支柱部と前記押込部の間に形成された鍔部を有する構成としても良い。
植え穴形成装置の先頭部と首部と押込部を畝に押し込むことで畝の表面に植え穴を形成するが、鍔部が畝の表面に達した時点で押し込みを完了させることで、目的の深さの植え穴を形成できる。鍔部が畝の表面に達した時点で植え穴形成完了の目安とすることで畝に複数の植え穴を形成する場合に一定の深さの植え穴を容易に複数形成できる。このため、降霜期などの寒い時期に複数の苗の定植を行った場合、いずれの苗も目的の深さ位置に均一に植えることが容易となり、畝の土壌による保温効果を全ての苗に作用させることができる。
【００１６】
本発明において、前記鍔部と前記支柱部の間に前記鍔部よりも更に外方に延出形成された足掛け部を有する構成としても良い。
植え穴形成装置の先頭部と首部と押込部を畝に押し込むことで畝の表面に植え穴を形成する際、作業者の足により足掛け部に力を加えて先頭部と首部と押込部を畝に押し込むことができる。この作業は、ハンドル部のみを利用して畝に先頭部と首部と押込部を押し込むよりも楽に実施できるので、植え穴形成作業の労力を削減できる。
【００１７】
本発明において、前記足掛け部の先端側に、前記支柱部の長さ方向に対し直交する方向に延出された軸部と、該軸部の先端側に、前記押込部の長さ方向と平行に前記押込部側へ延出された指示軸を備えた間隔調整器が着脱自在に装着された構成としても良い。
畝の表面に沿って複数の植え穴を所定間隔で形成する場合、特定の１つの植え穴形成後、隣接位置に他の植え穴を形成するに際し、間隔調整器を基準として隣接する植え穴の位置を確定できる。植え穴形成装置の先頭部を下向きとするとＬ字型の間隔調整器の先端も下向きとなるので、一例として、既に形成した植え穴の中心に間隔調整器の先端を位置合わせした状態で植え穴形成装置の先頭部と首部と押込部を畝に押し込むことで所定の間隔で隣接する他の植え穴を形成できる。この作業を順次繰り返すことにより畝に一定の間隔で複数の植え穴を形成できる。
【００１８】
本発明において、前記首部の先端にねじ穴が形成され、前記先頭部の基端側にねじ軸が形成されるとともに、前記ねじ穴に前記ねじ軸を螺合して前記先頭部が前記首部に着脱自在に装着された構成としても良い。
首部の先端にねじ軸を介し先頭部を着脱自在に設けておくことで、先頭部を交換することができる。植え穴に形成する収容穴の大きさは先頭部の大きさによるので、先頭部として長さの異なるものを複数用意しておき、適用する苗の大きさに応じた先頭部に交換するならば、多種多様な植え穴を形成できる。
【発明の効果】
【００１９】
本発明によれば、ハンドル部を操作して先頭部と首部と押込部を畝に押し込み、苗の定植用の植え穴を形成できる。また、形成した植え穴の開口部はロート型の植え穴より狭く、気温の低い時期であっても土壌の地温を利用して植え穴の底部に形成した収容穴の苗の温度を外気温より高い温度に維持することができる。
このため、本発明の植え穴形成装置により形成した植え穴を用い、アスパラガスの伏せ込み促成栽培などの株養成に利用するならば、降霜期などにおいて従来方法よりも早期に苗の育成ができる。
また、ハンドル部を操作して先頭部と首部と押込部を畝の表面に押し込む操作を行うのみで収容穴と下部穴と上部穴からなる植え穴を形成できるので、操作が容易で、植え穴形成作業の省力化に寄与する。
【図面の簡単な説明】
【００２０】
【図１】本発明に係る第１実施形態の植え穴形成装置を示す側面図。
【図２】同植え穴形成装置の先端側を示す斜視図。
【図３】同植え穴形成装置の足掛け部一端側を示す斜視図。
【図４】同植え穴形成装置の足掛け部の他端側を示す斜視図。
【図５】畝に形成した植え穴の一例を示す断面図。
【図６】同植え穴形成装置により形成した植え穴とロート状の植え穴を対比して示す断面図。
【図７】図６に示す２種類の植え穴における地温の測定結果を示す図。
【図８】従来の植え穴形成装置による苗の定植時作業時間の一例と本発明に係る装置による苗の定植時作業時間の一例を対比した図。
【図９】従来の植え穴形成装置による苗の定植時作業における作業姿勢の解析例と本発明に係る植え穴形成装置による苗の定植時作業における作業姿勢の解析例を対比した図。
【図１０】定植作業における作業姿勢の一例を示す説明図。
【図１１】従来の植え穴形成装置による植え込み作業の一例を示すもので、（ａ）は植え穴形成装置を下向きに配置した状態を示す側面図、（ｂ）は植え穴形成装置の先端部を土壌に差し込んだ状態を示す説明図、（ｃ）は土壌に差し込んで嘴部を開いた状態を示す説明図、（ｄ）は土壌に植えられた苗を示す説明図。
【発明を実施するための形態】
【００２１】
以下、添付図面に示す実施形態に基づき本発明を詳細に説明する。
本実施形態の植え穴形成装置１は、図１に全体構造を示すように、上下に延在されたロッド状の支柱部２と、この支柱部２の上端部（後端部）２ａに一体化されたハンドル部３と、支柱部２の下端部（先端部）２ｂに取り付けられた足掛け部４と、足掛け部４の下端部中央に形成された鍔部５と、鍔部５の下方に支柱部２を延長するように形成された押込部６と押込部６の先端側に形成された首部７と第１の先頭部８を主体として構成されている。
本実施形態の植え穴形成装置１は、一例として全体を鋼材から構成することができるが、全体を硬質プラスチックなどの他の硬質材料から構成してもよい。
ハンドル部３は、この実施形態では、支柱部２の長さ方向と直交する方向に一体化された断面円形のロッド状のもので、その一端部には、脱着用ねじ穴３ａが形成されていて、この脱着用ねじ穴３ａに交換用の第２の先頭部１０が螺合されている。この第２の先頭部１０は、一例として先頭部８と外径あるいは長さの異なる形状とされている。
【００２２】
足掛け部４は、例えば４角柱状であり、支柱部２の先端部２ｂに支柱部２の長さ方向に対し直交するように一体化されている。足掛け部４を鋼材から構成する場合は、軽量化のために足掛け部４を中空構造とすることが好ましい。図２に示すように足掛け部４の下端部中央には、リング板状の鍔部５がその外周部５ａの一部を足掛け部４の幅方向両側に突出させるように一体化されている。また、この鍔部５の下方に鍔部５よりも径の小さな円柱状の押込部６が支柱部２を延長するように一体化され、この押込部６の下端側（先端側）に先窄まり円錐台状の首部７が形成されている。足掛け部４の長さは、一例として図１に示すようにハンドル部３より若干短くできるが、足掛け部４の長さは作業者が足を掛けることができる程度であれば良いので、図示の例より短く形成されていても良い。勿論、足掛け部４はハンドル部３より長く形成されていても良い。
【００２３】
首部７の先端には図２に示すようにねじ孔７ａが形成され、このねじ孔７ａに第１の先頭部８が螺合されている。第１の先頭部８は基端側のねじ軸８ａとその先端側の円錐形状の頭部８ｂとからなり、ねじ軸８ａの部分を首部７のねじ孔７ａに螺合することで第１の先頭部８は首部７に対し着脱自在に取り付けられている。前記第２の先頭部１０はその基端側に第１の先頭部８と同様のねじ軸を有し、ハンドル部３のねじ穴３ａから取り外して首部７のねじ孔７ａに螺合できるように構成されている。
第２の先頭部１０が第１の先頭部８と長さあるいは外径が異なる形状とされているのは、第１の先頭部８あるいは第２の先頭部１０を用いて土壌中に形成する植え込み穴の大きさを変更するためである。植え込み穴の形成については後述する。
【００２４】
図３に示すように足掛け部４の一端側の側面４ａに円筒状の接続筒１１が突出形成され、この接続筒１１の周壁上部にねじ筒１１ａが立設されている。そして、接続筒１１にＬ字形の間隔調整器１２が挿入され、ねじ筒１１ａに蝶ねじ１３を螺合することで間隔調整器１２が抜け止めされている。間隔調整器１２は、接続筒１１に挿入された軸部１２ａと軸部１２ａの先端側に直角に延設された指示軸１２ｂとからなる。指示軸１２ｂの先端部１２ｃは先窄まり状に形成されている。また、図２に示すように足掛け部４の他端側の側面４ｂの下部中央にねじ孔４ｃが形成されている。
【００２５】
前述のように構成された植え穴形成装置１は、図５あるいは図６に示す形状の植え穴１５を形成するために使用される。
この植え穴１５は、保温用のマルチシートなどの保温フィルム１６を敷設した畝１７に対し形成されたもので、内径同一の丸穴状の上部穴１５ａとその底部から下方に延出形成された下窄まり状の下部穴１５ｂと、下部穴１５ｂの底部中央から下方に延出形成された収容穴１５ｃとからなる。この植え穴１５は、畝１７の長さ方向に複数、所定の間隔で形成されている。
図５に示すように収容穴１５ｃに苗１８を植えた床土部１９が収容され、床土部１９に植えられた苗１８は下部穴１５ｂから上部穴１５ａに至るように収容されている。
【００２６】
本実施形態の植え穴形成装置１により図５、図６に示す植え穴１５を形成するため、植え穴形成装置１において、押込部６の外径は、形成しようとする上部穴１５ａの内径と同等寸法に形成され、首部７の外形は、形成しようとする下部穴１５ｂの内形と同一形状に形成され、先頭部８の外形は形成しようとする収容穴１５ｃの内形と同一形状に形成される。植え穴形成装置１において、押込部６は床土部１９より大きな直径を有する。また、床土部１９と比較して、先頭部８の外径が同等あるいは若干大きく形成されている。
本実施形態の植え穴形成装置１による植え穴１５とは別に、図６の右側に、ロート型の植え穴２０を示す。ロート型の植え穴２０は、上部側が下部側よりラッパ型に広がった上部穴２０ａと上部穴２０ａの底部中央に形成された収容穴２０ｂとからなる。
【００２７】
本実施形態の植え穴形成装置１を用いて図５、図６に示す形状の植え穴１５を形成するには、図１に示すように先頭部８を下向きとしてハンドル部３を作業者が把持し、畝１７の上の保温フィルム１６の必要位置に先頭部８を押し当て、先頭部８により保温フィルム１６を破りつつ畝１７に対し、先頭部８、首部７、押込部６を押し込む。
押込部６の上端に鍔部５を設けているので、畝１７の表面に鍔部５が接触した時点で押込を完了する。押込時の抵抗が大きい場合は、足掛け部４に作業者が足を掛けて畝１７に押し込む動作を強化すればよい。
畝１７に先頭部８、首部７、押込部６を押込完了後、ハンドル部３あるいは支柱部２を把持して植え穴形成装置１を上方に引き揚げることで畝１７に対し植え穴１５の作成作業が完了する。植え穴１５を形成する際、足掛け部４に足を掛けて畝１７に先頭部８、首部７、押込部６を押し込む作業を行うならば、ハンドル部３の操作のみで植え穴１５を形成するよりも楽に押し込み作業を行うことができる。
この植え穴１５の収容穴１５ｃに対し苗１８を備えた床土部１９を植え込むことで図５に示すように定植作業が完了する。
畝１７に複数の植え穴１５を形成する場合、既に形成した植え穴１５の中心位置に間隔調整器１２の指示軸１２ｂの先端を位置合わせし、隣接する畝１７の所定位置に再度先頭部８、首部７、押込部６を押込み操作するならば、順次隣接する複数の植え穴１５を畝１７に沿って一定間隔で複数形成することができる。
【００２８】
以上説明の如く構成した植え穴１５と図６に示すロート型の植え穴２０を対比すると、両方の穴が同じ内容積の場合、畝１７の上面において、植え穴１５の方が植え穴２０よりも開口部面積が小さい。
ここで、畝１７に形成した植え穴１５を前述のアスパラガスの伏せ込み促成栽培に適用すると、降霜期などにおいては地温が低く、霜の降りる可能性を有している。しかし、苗１８の周囲は垂直壁からなる狭い上部穴１５ａと保温フィルム１６で覆われるため、図６に示す広い上部穴２０ａで囲まれるロート型の植え穴２０に対し、地熱を逃がし難く、植え穴１５内部の保温ができる。このため、植え穴１５の収容穴１５ｃ側とその下方の温度低下を抑制できる。
従って、アスパラガスの伏せ込み促成栽培において、従来より早い時期に畝１７に定植をして株養成することができ、従来より大きな苗まで育苗できるので、アスパラガス栽培の場合の株養成の時期を従来より長くできる。
【００２９】
ところで、本実施形態の植え穴形成装置１において、押込部６の外周壁は押込部６の長さ方向に均一径としたが、押込部６の外周壁は若干先窄まり状に傾斜した外周壁であっても良い。その場合、先窄まり状の外周壁は傾斜が無い場合に対し１０°程度傾斜した面であっても良い。この傾斜した押込部により畝に植え穴を形成すると、上部穴は若干下窄まり状となるが、この程度の傾斜壁であっても、植え穴底部側の地温保持には許容される。
なお、収容穴１５ｃの大きさは目的とするアスパラガスの苗質の差異や他の植物の栽培の際に異なる大きさの収容穴１５ｃを形成する必要が生じるので、その場合にハンドル部３に螺合されている第２の先頭部１０と先頭部８を交換して使用する。
本実施形態の植え穴形成装置１はアスパラガスの定植に限らず、スイートコーンやトマト、エダマメ、山菜などの植物の栽培にも利用できるのは勿論である。
【実施例】
【００３０】
図１に示す形状の植え穴形成装置を鋼材により形成した。支柱部２の長さを６６.０ｃｍ、足掛け部４の長さを４０.０ｃｍ、鍔部５の直径を１２.０ｃｍ、押込部６の長さを１０.０ｃｍ、直径を９.０ｃｍ、首部７の長さを５.５ｃｍ、先頭部の長さを６.０ｃｍとして植え穴形成装置を試作した。
この植え穴形成装置を用いて図６の左側に示すように、同一内径の上部穴の深さ１０.０ｃｍ、直径９.０ｃｍ、下部穴の深さ５.５ｃｍ、収容穴の直径３.０ｃｍ、収容穴の深さ３.５ｃｍの植え穴を畝に形成した。
また、比較例として、図６の右側に示すように、ロート型の上部穴の深さ１５.５ｍ、開口部直径１２.８ｃｍ、収容穴の内径３.０ｃｍ、収容穴の深さ３.５ｃｍの植え穴を畝に形成した。なお、植え穴形成装置によって形成した上述のサイズの植え穴と、比較例としてのロート型の植え穴とは、収容部を除いた部分は同一の内容積である。
【００３１】
両者の植え穴に対し、収容穴の上端から地中に１０ｃｍの位置に温度計を埋設し、２０１４／６／９〜６／２９の期間、地温を測定した結果を図７に示す。
図７において新規ホーラー最低地温地下１０ｃｍと記載したデータが、本実施例の測定データを示し、ロート型最低地温地下１０ｃｍと記載したデータが、比較例の測定データを示す。
【００３２】
図７に示す測定時期は、降霜期より地温が高い時期であるが、いずれにおいても本実施例で得られる植え穴の方が温度が同等か若干高くなっている。測定時期が降霜期であれば、より大きな温度差が生じると推定できる。２２〜２４℃の比較的高温期であるため温度差が少なかったが、温度差を生じることは明白であり、比較例の植え穴に対し実施例の植え穴の方が苗を収容する収容穴周りの地温を高く保持できる効果を立証できた。
【００３３】
次に、図１１に示す従来の植え穴形成装置を用いて苗を植え付ける作業と図１に示す実施例の植え穴形成装置を用いて苗を植え付ける作業を対比し、各作業の疲労度を比較する試験を行った。
植え穴形成装置として、図１１に示す市販のホーラー（株式会社サンエー製）を用い、市販のパイオニアエコサイエンス株式会社の太宝早生（品種名）の７．５ｃｍポット苗（９６日間育苗）を用いた。図１に示す植え穴形成装置は７２日間育苗のセル成型苗を用いた。
被験者はアスパラガスの定植作業に熟練した男性が行い、各作業の全行程をデジタルカメラ（ＥＯＳ Ｍ，Ｃａｎｏｎ：キヤノン株式会社商品名）で撮影し、各装置で植え穴の形成から苗の定植までの全作業の作業時間の測定を行い、作業姿勢について評価した。試験は５株の作業姿勢を測定し、１株当たりの作業姿勢の平均値として算出した。５株の定植作業を１反復とし、４反復を調査した。
【００３４】
作業姿勢の評価は、Ovako式作業分析システム（OWAS）法を用いた。この分析は、Karhuらが開発したOWAS法として知られ、アクションカテゴリー（以下、ＡＣと略称する。）による分類と評価を行う方法であり、撮影した動画を基に、１秒ごとの作業姿勢を抽出し、OWAS姿勢コード表の背部、上肢、下肢および支持する重量の４項目に基づき、ＡＣを以下のように分類した。ＡＣ１：改善不要の姿勢、ＡＣ２：近いうちに改善するべき姿勢、ＡＣ３：できるだけ早期に改善するべき姿勢、ＡＣ４：直ちに改善するべき姿勢。
図１０に示す作業者の姿勢について、OWAS法では、背部２（前または後ろに曲げる）、上肢１（両腕とも肩より下）、下肢４（両膝を曲げて立つか中腰）、支持する重量１（１０ｋｇ以下）に分類され、ＡＣコード２１４１となり、OWAS姿勢コード表よりＡＣ３に分類される。
【００３５】
図８および図９において、慣行法とは従来の市販の株式会社サンエー社製ホーラーを用いて行う方法による試験結果を示し、新規改良法とは図１に示す本実施例の植え穴形成装置を用いて行う方法による試験結果を示す。
新規改良法による１株の植え穴の形成時間は１．６５秒、苗の定植の作業時間は５．０５秒であった。一方、慣行法では、１株当たりの植え穴の形成時間は３．０５秒、苗の定植の作業時間は７．６０秒であり、それぞれの合計時間を図８に示す。
図８に示す結果から新規改良法により定植する場合、植え穴形成時間、定植時間とそれらの合計のすべてにおいて、慣行法により定植する場合より優位性が見られた。
【００３６】
次に、OWAS法を用いた作業姿勢の比較結果を図９に示す。
慣行法および新規改良法ともに、ＡＣ４（筋骨格系負担に極めて有害）は出現しなかった。慣行法において、ＡＣ３が最も多く出現し、新規改良法ではＡＣ２が最も多く出現した。慣行法と新規改良法のＡＣ１の出現に関し、有意差は見られなかった。新規改良法は、慣行法に比較して有害な作業（筋骨格系負担に有害）とされるＡＣ３の出現割合が約８７％減少した。有害な作業とされるＡＣ３の出現割合では、新規改良法は慣行法に比較して有意に低下できた。
【００３７】
なお、新規改良法で植えた苗と慣行法で植えた苗の株養成量について、２０１３年１１月１６日に両者を同時に掘り上げ、根株重（ｋｇ）と貯蔵根のBrix値（％）について測定し比較した。貯蔵根のBrix値（％）は、屈折式糖度計（PR-1,ATAGO社製）により測定した。株養成量は、根株重（ｋｇ）と貯蔵根のBrix値（％）の積とした。
慣行法：Brix値（％）：２０．４０±０．６、根株重（ｋｇ）：１．５２±０．０７、株養成量：０．３１±０．０２
新規改良法：Brix値（％）：２０．９６±０．８１、根株重（ｋｇ）：１．２５±０．１１、株養成量：０．２６±０．０４
この結果、両者ほぼ同等となり、これらの値において有意差は見られなかった。
以上の結果から、アスパラガス栽培における新規改良法と慣行法を比較すると、作業時間の短縮化ならびに作業強度を低くすることができ、作業性の改善効果があると考えられる。
また、株養成量に有意差がなかったことから、新規改良法においても、慣行法と同等の株養成量が得られることが明らかとなった。
【符号の説明】
【００３８】
１…植え穴形成装置、２…支柱部、３…ハンドル部、４…足掛け部、５…鍔部、６…押込部、７…首部、７ａ…ねじ穴、８…先頭部（第１の先頭部）、８ａ…ねじ軸、１０…第２の先頭部、１２…間隔調整器、１２ａ…軸部、１２ｂ…支持軸、１５…植え穴、１５ａ…上部穴、１５ｂ…下部穴、１５ｃ…収容穴、１６…保温フィルム、１７…畝、２０…植え穴、２０ａ…上部穴、２０ｂ…収容穴。
【図１】
2016067220.tif 000003
【図２】
2016067220.tif 000004
【図３】
2016067220.tif 000005
【図４】
2016067220.tif 000006
【図５】
2016067220.tif 000007
【図６】
2016067220.tif 000008
【図７】
2016067220.tif 000009
【図８】
2016067220.tif 000010
【図９】
2016067220.tif 000011
【図１０】
2016067220.tif 000012
【図１１】
2016067220.tif 000013